(57)【要約】【課題】看板からの突出量を小さく抑えつつ、看板全体を効率良く照明することができる看板用照明灯を提供すること。【解決手段】本発明に係る看板用照明灯１は、ＬＥＤ（光源）２と、該ＬＥＤ２の光軸に沿って延びる棒状のロッドレンズ３と、該ロッドレンズを３外部から覆う透明カバー４と、該透明カバー４の前端部に被着された反射板５を含んで構成される照明ユニット１０を少なくとも１つ備え、前記照明ユニット１０のＬＥＤ２から出射して前記ロッドレンズ３内を導光する光を該ロッドレンズ３先端の出射面３ｂまたは出射面３ｂと前記反射板５で出射方向とは逆方向に所定の角度で反射させて看板５０の前記ロッドレンズ３を中心とする所定の領域Ｒを照明するよう構成される。【選択図】図３
2015075631.tif 000002
【特許請求の範囲】
【請求項１】
光源と、該光源の光軸に沿って延びる棒状のロッドレンズと、該ロッドレンズを外部から覆う透明カバーと、該透明カバーの前端部に被着された反射板を含んで構成される照明ユニットを少なくとも１つ備え、
前記照明ユニットの光源から出射して前記ロッドレンズ内を導光する光を該ロッドレンズ先端の出射面または出射面と前記反射板で出射方向とは逆方向に所定の角度で反射させて看板の前記ロッドレンズを中心とする所定の領域を照明するよう構成して成ることを特徴とする看板用照明灯。
【請求項２】
前記ロッドレンズを丸棒状の導光体で構成するとともに、その出射面と前記反射板の反射面を円錐状凹曲面としたことを特徴とする請求項１記載の看板用照明灯。
【請求項３】
前記反射板の表面を平面とし、該表面に、看板の欠落した情報を表示したことを特徴とする請求項１または２記載の看板用照明灯。
【請求項４】
前記反射板の表面に、該表面を照明するための別の照明ユニットを取り付けたことを特徴とする請求項３記載の看板用照明灯。
【請求項５】
看板に複数の孔を形成し、各孔に請求項１〜４の何れかに記載の看板用照明灯を前記看板の裏面側から通して前記看板に固定して成ることを特徴とする看板照明装置。
【発明の詳細な説明】
【技術分野】
【０００１】
本発明は、看板を照明するための看板用照明灯とこれを用いた看板照明装置に関するものである。
【背景技術】
【０００２】
種々の情報を表示した看板を夜間などにおいて照明するための照明装置には、看板の内部から照明する内照式と、看板の外部から照明する外照式とがある。そして、外照式の看板照明装置には、図５（ａ），（ｂ）に示す支柱タイプ（例えば、特許文献１参照）と、図６に示す投影式タイプ（例えば、特許文献２参照）とがある。
【０００３】
すなわち、図５（ａ）は支柱タイプの看板照明装置の正面図、図５（ｂ）は同看板照明装置の側面図であり、図示の看板照明装置は、垂直に立設された矩形平板状の看板１５０の上部左右に支柱１５１を立設し、各支柱１５１に照明灯１０１をそれぞれ取り付けて構成されている。このような支柱タイプの看板照明装置において、夜間などにおいて各照明灯１０１が点灯されると、これらの照明灯１０１からの光が看板１５０の表面に斜め上方から照射され、看板１５０の表面に表示された絵柄や文字などの情報が夜間においても視認される。
【０００４】
また、図６は投影式タイプの看板照明装置の側面図であり、図示の看板照明装置においては、垂直に立設された看板２５０から離れた位置に照明灯２０１が設置され、夜間などにおいて照明灯２０１からの光を看板２５０の表面に投影することによって、看板２５０の表面に表示された絵柄や文字などの情報が夜間においても視認できるようにしている。
【先行技術文献】
【特許文献】
【０００５】
【特許文献１】特開２０１１−０８２０６６号公報
【特許文献２】特開平０８−２２７６０４号公報
【発明の概要】
【発明が解決しようとする課題】
【０００６】
しかしながら、図５に示した支柱タイプの看板照明装置においては、看板１５０の全体を照明するには、照明灯１０１を看板１５０の表面から前方へ大きく突出させる必要があるが、設置場所によっては照明灯１０１の突出量を十分確保できない場合がある。なお、照明灯１０１の看板１５０からの飛び出し量は条例によって規制されている。
【０００７】
また、図６に示した投影式タイプの看板照明装置においては、看板２５０の全体を照明するためには、照明灯２０１の拡散角に合わせた設置距離が必要があり、広い敷地面積を要するという問題がある。
【０００８】
本発明は上記問題に鑑みてなされたもので、その目的とする処は、看板からの突出量を小さく抑えつつ、看板全体を効率良く照明することができる看板用照明灯およびこれを備えた看板照明装置を提供することにある。
【課題を解決するための手段】
【０００９】
上記目的を達成するため、請求項１記載の看板用照明灯は、光源と、該光源の光軸に沿って延びる棒状のロッドレンズと、該ロッドレンズを外部から覆う透明カバーと、該透明カバーの前端部に被着された反射板を含んで構成される照明ユニットを少なくとも１つ備え、前記照明ユニットの光源から出射して前記ロッドレンズ内を導光する光を該ロッドレンズ先端の出射面または出射面と前記反射板で出射方向とは逆方向に所定の角度で反射させて看板の前記ロッドレンズを中心とする所定の領域を照明するよう構成して成ることを特徴とする。
【００１０】
請求項２記載の発明は、請求項１記載の発明において、前記ロッドレンズを丸棒状の導光体で構成するとともに、その出射面と前記反射板の反射面を円錐状凹曲面としたことを特徴とする。
【００１１】
請求項３記載の発明は、請求項１または２の何れかに記載の発明において、前記反射板の表面を平面とし、該表面に、看板の該表面に相当する情報を表示したことを特徴とする。
【００１２】
請求項４記載の発明は、請求項３記載の発明において、前記反射板の表面に、該表面を照明するための別の照明ユニットを取り付けたことを特徴とする。
【００１３】
請求項５記載の看板照明装置は、看板に複数の孔を形成し、各孔に請求項１〜４の何れかに記載の看板用照明灯を前記看板の裏面側から通して前記看板に固定して成ることを特徴とする。
【発明の効果】
【００１４】
請求項１および２記載の発明によれば、照明ユニットのＬＥＤなどの光源から出射してロッドレンズ内を導光する光を該ロッドレンズ先端の出射面または出射面と反射板で出射方向とは逆方向の看板に向けて所定の角度で反射させて看板のロッドレンズを中心とする所定の領域を照明するようにしたため、ロッドレンズを看板から大きく突出させなくても、看板全体を効率良く照明することができる。
【００１５】
また、看板の表面に看板用照明灯が大きく露出することがないため、看板のデザイン性が照明ユニットによって害されることがない。
【００１６】
さらに、光源からの直視光が看板の正面から見えないために直視グレアが低減され、看板の視認者に幻惑を与えることがない。
【００１７】
請求項３記載の発明によれば、反射板の表面を平面とし、該表面に、当該看板用照明灯の存在によって看板から欠落した該表面に相当する絵柄や文字などの情報を表示したため、看板の表示に欠落した部分が無くなり、看板本来の機能が看板用照明灯によって損なわれることがない。
【００１８】
請求項４記載の発明によれば、反射板の表面に表示された情報（看板の欠落した部分を補う情報）を別の照明ユニットによって照明することができ、看板全体を明るく照明することができる。
【００１９】
請求項５記載の発明によれば、複数の看板用照明灯によって看板全体を効率良く照明することができるとともに、各看板用照明灯を看板に形成された孔を利用して簡単に取り付けることができる。
【図面の簡単な説明】
【００２０】
【図１】本発明に係る看板照明装置の正面図である。
【図２】図１のＡ−Ａ線断面図である。
【図３】本発明の実施の形態１に係る看板用照明灯の平断面図である。
【図４】本発明の実施の形態２に係る看板用照明灯の平断面図である。
【図５】（ａ）は支柱タイプの従来の看板照明装置の正面図、（ｂ）は同看板照明装置の側面図である。
【図６】投影式タイプの従来の看板照明装置の側面図である。
【発明を実施するための形態】
【００２１】
以下に本発明の実施の形態を添付図面に基づいて説明する。
［看板照明装置］
図１は本発明に係る看板照明装置の正面図、図２は図１のＡ−Ａ線断面図であり、本発明に係る看板用照明装置は、垂直に立設された矩形平板状の看板５０には縦横３つずつ、計９つの看板用照明灯１が適当な間隔でマトリックス状に取り付けられることによって構成されている。なお、看板５０の表面（図１の手前側の面）には、絵柄や文字などの不図示の情報が表示されている。
【００２２】
各看板用照明灯１の構成の詳細は後述するが、夜間などにおいて看板用照明灯１が点灯されると、各看板用照明灯１から出射する光は、図１に示すように、看板５０の表面の各看板用照明灯１を中心とする楕円状の領域Ｒに向けて照射されて該領域Ｒを照明する。従って、看板５０の表面は、計９つの看板用照明灯１から出射する光によって全領域が照明され、該表面に表示された情報が夜間などにおいても明瞭に視認される。
［看板用照明灯］
次に、本発明に係る前記看板用照明灯１の実施の形態について説明する。
【００２３】
＜実施の形態１＞
図３は本発明の実施の形態１に係る看板用照明灯の平断面図であり、図示の看板用照明灯１は、光源であるＬＥＤ（発光ダイオード）２と、該ＬＥＤ２の光軸に沿って延びる丸棒状のロッドレンズ３と、該ロッドレンズ３の周囲を外方から覆う有底円筒状の透明カバー４と、該透明カバー４の前端部に被着された反射板５を含んで構成される照明ユニット１０を備えている。
【００２４】
前記ＬＥＤ２は、円板状の基板６上の中心部に実装されており、前記ロッドレンズ３のＬＥＤ２に対向する面（図３の下端面）の中心部には半球凹状の入射面３ａが形成されている。そして、基板６のＬＥＤ２とは反対側の面（図３の下面）にはヒートシンク７が複数本のネジ８によって取り付けられている。ここで、ヒートシンク７は、熱伝導率の高いアルミニウム合金などによって一体成形されており、円板状のベース部材７ａと、該ベース部材７ａに一体に立設された薄いプレート状の複数枚の放熱フィン７ｂとで構成されている。
【００２５】
前記ロッドレンズ３は、ポリカーボネート樹脂などの透明な導光体によって構成されており、その先端部（図３の上端部）端面の出射面３ｂは円錐状凹曲面を成している。なお、ロッドレンズ３の入射面３ａ側の端部（図３の下端部）には円環状のフランジ部３ｃが一体に形成されている。
【００２６】
前記透明カバー４は、ポリカーボネート樹脂などの透明樹脂によって有底円筒状に一体成形されており、その開口側端部（図３の下端部）には円環状のフランジ部４ａが一体に形成されている。また、透明カバー４の先端部（図３の上端部）には、ロッドレンズ３の出射面３ｂを覆うブロック状の台座４ｂが一体に形成されており、この台座４ｂの内面は、ロッドレンズ３の出射面３ｂに密着するよう円錐状凸面とされ、外面は円錐台状に形成されている。
【００２７】
前記反射板５は、透明カバー４の先端部に形成された前記台座４ｂに取り付けられており、その表面（外面）は平面５ａとされ、内面は中心から看板５０側（図３の下方）に向かって円錐台状に開くテーパ状の反射面５ｂとされている。
【００２８】
而して、以上のように照明ユニット１０にヒートシンク７を取り付けて成る看板用照明灯１は、以下に説明するように組み付けられて看板５０に取り付けられる。
【００２９】
すなわち。看板５０には円孔状の貫通孔５０ａが形成されている。看板用照明灯１の看板５０への取り付けに際しては、先ず、看板５０の貫通孔５０ａに裏面側からロッドレンズ３とその周囲を覆う透明カバー４が通され、透明カバー４のフランジ部４ａが取付プレート５１に重ねられ、ネジ８によって一体化された基板６とヒートシンク７が、透明カバー４のフランジ部４ａとの間にロッドレンズ３のフランジ部３ｃとＯリングなどのシールリング１１を挟み込んだ状態で、複数のネジ１２によってロッドレンズ３と透明カバー４と共に取付プレート５１に取り付けられる。看板５０の裏面の貫通孔５０ａの周囲には、円環状の取付プレート５１が複数のネジ９によって取り付けられる。
【００３０】
看板５０の表面側に突出する透明カバー４の先端部に形成された台座４ｂには反射板５が被せられて取り付けられている。このように、各看板用照明灯１は、看板５０に形成された貫通孔５０ａを利用して看板５０の裏面側から簡単に取り付けられる。なお、看板用照明灯１が図３に示すように看板５０に取り付けられた状態では、ロッドレンズ３と透明カバー４の一部および反射板５が看板５０の表面から突出し、看板５０の裏面側にヒートシンク７が突出している。
【００３１】
ところで、看板５０には看板用照明灯１を取り付けるための貫通孔５０ａが形成されるため、看板５０の表面に表示された絵柄や文字などの情報が貫通孔５０ａの部分で欠落してしまう。このため、本実施の形態では、看板用照明灯１の反射板５の表面（平面）５ａに、貫通孔５０ａのために欠落した看板５０の情報を表示している。
【００３２】
以上の取付構造によって看板５０に取り付けられた各看板用照明灯１において、夜間などにＬＥＤ２が電流の供給を受けて発光すると、その光は、ロッドレンズ３の半球凹状の入射面３ａからロッドレンズ３内へと入射する。すると、ロッドレンズ３内に入射した光は、ロッドレンズ３内を全反射しながら先端方向（図３の上方）へと進み、その一部は、ロッドレンズ３の円錐状凹曲面を成す出射面３ｂで反射して看板５０側（ＬＥＤ２からの出射方向とは逆側）に向かって所定の角度でロッドレンズ３から出射して看板５０の表面に照射される。また、ロッドレンズ３の出射面３ｂで反射した他の一部の光は、反射板５へと向かい、反射板５の反射面５ｂで反射して看板５０側に向かって看板５０の表面に照射される。この結果、図１に示すように、看板５０の表面は各看板用照明灯１から照射される光によって当該看板用照明灯１を中心とする楕円状の領域Ｒが照明され、看板５０全体としては計９つの看板用照明灯１によって表面全体が照明され、夜間などにおいても看板５０の表面に表示された情報が視認される。
【００３３】
なお、反射板５を光透過性材料で構成すれば、この部分を発光させることができる。この場合、貫通孔５０ａのために欠落した看板５０の情報を反射板５の表面に表示した上で透過光を用いた内照式照明を行うこともできる。
【００３４】
以上のように、本実施の形態に係る看板用照明灯１によれば、ＬＥＤ２から出射してロッドレンズ３内を導光する光を該ロッドレンズ３先端の出射面３ｎまたは出射面３ｂと反射板５の反射面５ｂで出射方向とは逆方向の看板５０に向けて所定の角度で反射させて看板５０のロッドレンズ３を中心とする所定の領域Ｒ（図１参照）を照明するようにしたため、ロッドレンズ３を看板５０から大きく突出させなくても、看板５０の全体を効率良く照明することができる。このため、当該看板用照明灯１の設置場所に制限を受けたり、条例に違反するなどの問題が解消される。
【００３５】
また、看板５０の表面に看板用照明灯１が大きく露出することがないため、看板５０のデザイン性が看板用照明灯１によって害されることがない。そして、ＬＥＤ２からの直視光が看板５０の正面から見えないために直視グレアが低減され、看板５０の視認者に幻惑を与えることがない。
【００３６】
さらに、本実施の形態では、ＬＥＤ２を実装する基板６にヒートシンク７を密着させた状態で取り付けたため、ＬＥＤ２の点灯によって発生する熱は、ヒートシンク７のベース部材７ａから複数枚の放熱フィン７ｂへと伝導して周囲に効率良く放熱される。このため、ＬＥＤ２の温度上昇が抑えられ、該ＬＥＤ２の発光効率と寿命の低下が抑えられる。
【００３７】
また、本実施の形態では、反射板５の表面を平面５ａとし、該表面５ａに、看板５０の貫通孔５０ａのために欠落した絵柄や文字などの情報を表示したため、看板５０の表示に欠落した部分が無くなり、看板５０の本来の機能が貫通孔５０ａによって損なわれることがない。
【００３８】
＜実施の形態２＞
次に、本発明の実施の形態２に係る看板用照明灯を図４に基づいて以下に説明する。なお、図４は本発明の実施の形態２に係る看板用照明灯の平断面図であり、本図においては図３に示したものと同一要素には同一符号を付しており、以下、それらについての再度の説明は省略する。
【００３９】
本実施の形態に係る看板用照明灯１’は、実施の形態１に係る看板用照明灯１の反射板５に更に別の照明ユニット１０’を取り付けたことを特徴としており、他の構成は実施の形態１に係る看板用照明灯１のそれと同じである。
【００４０】
而して、本実施の形態に係る看板用照明灯１’によれば、前記実施の形態１において得られたと同様の効果が得られる他、反射板５の表面に表示された情報（看板５０の欠落した部分を補う情報）を別の照明ユニット１０’によって照明することができ、看板５０の全体を明るく照明することができるという効果が得られる。
【符号の説明】
【００４１】
１，１’      看板用照明灯
２            ＬＥＤ（光源）
３            ロッドレンズ
３ａ          ロッドレンズの入射面
３ｂ          ロッドレンズの出射面
３ｃ          ロッドレンズのフランジ部
４            透明カバー
４ａ          透明カバーのフランジ部
４ｂ          透明カバーの台座
５            反射板
５ａ          反射板の平面
５ｂ          反射板の反射面
６            基板
７            ヒートシンク
７ａ          ヒートシンクのベース部材
７ｂ          ヒートシンクの放熱フィン
８，９        ネジ
１０，１０’  照明ユニット
１１          シールシング
１２          ネジ
５０          看板
５０ａ        看板の貫通孔
５１          取付プレート
Ｒ            光照射領域
【図１】
2015075631.tif 000003
【図２】
2015075631.tif 000004
【図３】
2015075631.tif 000005
【図４】
2015075631.tif 000006
【図５】
2015075631.tif 000007
【図６】
2015075631.tif 000008